(57)【要約】本発明は、時分割複信（ＴＤＤ）無線通信技術をスムーズに周波数分割複信無線通信技術に発展させるために使用されることが可能な、新規のフレーミング構造を提供する。割当て開始時間によって、ダウンリンク・フレームに関するオフセットであるアップリンク・フレームの開始時間を確立するための方法が提供される。さらに、送信／受信および受信／送信時間ギャップのための適切な規則を用いて、半二重および全二重周波数分割複信オペレーションのためにダウンリンクおよびアップリンクのリソースを割り当てる方法もまた提供される。
2010541381.tif 000002
【特許請求の範囲】
【請求項１】
ダウンリンクおよびアップリンクのリソースを割り当てる方法であって、
ダウンリンク・フレームのためにダウンリンク開始時間を判定するステップと、
アップリンク・フレームのためにアップリンク開始時間を判定するステップとを含み、前記アップリンク開始時間が、割当て開始時間によって前記ダウンリンク開始時間からオフセットされる、方法。
【請求項２】
時間ギャップを判定するステップをさらに含み、前記時間ギャップが、移動局がダウンリンク・フレームとアップリンク・フレームとの間で切り替えを行うために必要とする時間を含み、前記方法がさらに、前記割当て開始時間が前記時間ギャップよりも大きくなるように、前記移動装置のためにリソースを割り当てるステップを含む、請求項１に記載の方法。
【請求項３】
時間ギャップを判定する前記ステップが、送信／受信移行ギャップを含むアップリンク集中アプリケーションのための時間ギャップを判定するステップを含む、請求項２に記載の方法。
【請求項４】
時間ギャップを判定する前記ステップが、受信／送信移行ギャップを含むダウンリンク集中アプリケーションのための時間ギャップを判定するステップを含む、請求項２に記載の方法。
【請求項５】
時間ギャップを判定する前記ステップが、移動局毎の基準で時間ギャップを判定するステップを含む、請求項２に記載の方法。
【請求項６】
前記割当て開始時間を移動局に送信するステップをさらに含む、請求項１に記載の方法。
【請求項７】
前記ダウンリンク・フレームがダウンリンク期間を有し、前記アップリンク・フレームがアップリンク期間を有し、前記割当て開始時間が前記ダウンリンク期間および前記アップリンク期間の最大値よりも大きい、請求項１に記載の方法。
【請求項８】
前記割当て開始時間が、前記ダウンリンク期間および前記アップリンク期間の最大値の２倍よりも短い、請求項７に記載の方法。
【請求項９】
基地局と通信する複数の移動局のために、一連のアップリンク・リソース割当てをスケジューリングするステップをさらに含み、前記一連のアップリンク・リソース割当てが、前記基地局が前記複数の移動局のすべてにブロードキャスト・メッセージを送信することができるようなものである、請求項１に記載の方法。
【請求項１０】
アップリンクの開始時間を判定する前記ステップが、アップリンク制御領域の知られている位置を利用してアップリンクの開始時間を判定するステップを含む、請求項１に記載の方法。
【発明の詳細な説明】
【技術分野】
【０００１】
本発明は、一般に通信システムに関し、より詳細には周波数分割複信（ＦＤＤ）の直交周波数分割多元接続（ＯＦＤＭＡ）システムに関する。
【背景技術】
【０００２】
ＩＥＥＥ８０２．１６ｅ／ｍに基づく直交周波数分割多元接続（ＯＦＤＭＡ）技術およびユニバーサル移動体通信システムのロング・ターム・エボリューション（ＵＭＴＳ−ＬＴＥ）は、３Ｇ携帯電話を超える選択の技術となるために好適な位置に置かれている。ＩＥＥＥ８０２．１６ｅはスケーラブル帯域幅、分散および隣接サブキャリアに基づくサブチャネル化の方法、および複数アンテナ技術など、いくつかの先進機能をサポートする。ＩＥＥＥ８０２．１６ｅはまた、３Ｇシステムの中で見出される複数のリソース制御機能を反映する。
【０００３】
ＩＥＥＥ８０２．１６ｅの１つの限界は、それが現在のところ、実際には単一の周波数キャリアがダウンリンクとアップリンクとの両方に使用され、ダウンリンクとアップリンクとが時間で分離されるＴＤＤオペレーションに限られているということである。この規格の産業用実装は、現在のところＷｉＭＡＸフォーラムによって指定される時分割複信（ＴＤＤ）プロファイルに限られている。
【０００４】
図１は、現在のＩＥＥＥ８０２．１６ｅのＴＤＤフレーム構造１００を示す。各フレームは、ダウンリンク・サブフレーム１０１およびアップリンク・サブフレーム１０２に分割される。ダウンリンク・サブフレーム１０１は、プリアンブル１１１、フレーム制御ヘッダ（ＦＣＨ）・メッセージ１２１、ダウンリンク・マップ（ＤＬ−ＭＡＰ）・メッセージ１３１およびアップリンク・マップ（ＵＬ−ＭＡＰ）・メッセージ１４１を含む制御オーバヘッドを送信することによって開始する。
【０００５】
プリアンブル１１１は、フレーム同期、チャネル状態の推定、受信信号の強度および信号対干渉雑音比（ＳＩＮＲ）の推定のために使用されてもよい。
【０００６】
フレーム制御ヘッダ（ＦＣＨ）・メッセージ１２１、ダウンリンク・マップ（ＤＬ−ＭＡＰ）・メッセージ１３１およびアップリンク・マップ（ＵＬ−ＭＡＰ）メッセージ１４１は、フレームの構造および構成について述べる。
【０００７】
ＴＴＧ（送信／受信の移行ギャップ）１０３およびＲＴＧ（受信／送信の移行ギャップ）１０４と示される時間ギャップは、送信機能と受信機能との間の移行を可能にするために、ダウンリンク・サブフレーム１０１とアップリンク・サブフレーム１０２との間、および各フレームの最後にそれぞれ挿入されるのが好ましい。
【０００８】
周波数分割複信（ＦＤＤ）オペレーションは、対のスペクトルを所有するオペレータにとって大きな利益である。しかしながら、共同利用が可能なＦＤＤのサポートは、基地局（ＢＳ）および移動局（ＭＳ）のオペレーションに関係することから、ダウンリンクとアップリンクとのタイミング関係を明確に指定する新たなフレーミング構造定義を必要とする。本明細書では、移動局および加入者局という用語は交換可能に使用される。
【０００９】
フレーミング構造を定義する際、いくつかの注意事項が考慮されなければならない。第１の注意事項は、現在のＴＤＤ実装に対する過度なハードウェアの変更が必要とされないように、既存のＴＤＤフレーム構造の修正を最小にするということである。
【００１０】
第２の注意事項は、半二重ＦＤＤ（Ｈ−ＦＤＤ）の加入者局オペレーションのサポートである。加入者局のデュプレクサをなくすことによって、低コストの端末を持ち、ＴＤＤ端末のＡＳＩＣを最大のＦＤＤ機能に発展させることがずっと簡単になる。
【００１１】
第３の注意事項は、同一セクタのキャリアの中で、Ｈ−ＦＤＤおよび全ＦＤＤオペレーションをサポートする移動局が共存することである。これは、端末がより複雑になり、最大のＦＤＤ機能に発展することから、Ｈ−ＦＤＤ端末へのオペレータの投資が維持されることを確実にする。
【００１２】
第４の注意事項は、ＴＤＤと比較してオーバヘッドが減らされるということである。オーバヘッドは、最低限でもＴＤＤの場合より少しでも悪くてはならない。また、ＴＤＤと比較して改善されたリンク・バジェットも存在する。
【００１３】
第５の注意事項は、アイドル時間を最小にすることによって、エア・インタフェース・リソースの利用を最大化することである。
【００１４】
システムがＴＤＤからＦＤＤのオペレーションへ素早く移行できることを確実にし、より単純なＨ−ＦＤＤ加入者局が配備されるようにし、ＷｉＭＡＸベースのＯＦＤＭＡシステムを、その他のＦＤＤ技術に基づくその他のシステムと競合させる改善点を与えるために、これらの機能が必要である。
【００１５】
この問題のために以前に提案されたフレーミング構造の解決法は、同期されたダウンリンクとアップリンクとのフレーム構造を仮定しており、また例えば、増加されるＭＡＰオーバヘッド、およびアップリンクのためのリンク・バジェットが幾分低下することにつながる場合のある、加入者局をゾーンにグループ化することなど、いくつかの欠点を有する。
【発明の概要】
【００１６】
本発明の例示的実施形態は、アップリンク・フレームの開始がダウンリンク・フレームに対してオフセットされることを可能にする。例示的な実施形態で、このオフセットは割当て開始時間（ＡＳＴ）によって示される。ＡＳＴは、加入者局（ＳＳ）がダウンリンク（ＤＬ）およびアップリンク（ＵＬ）のフレームの開始および終了時を両方とも知るように、基地局（ＢＳ）によってＳＳに知らされるのが好ましい。
【００１７】
本発明はまた、システム全体の基準に対して加入者毎の基準で、受信／送信および送信／受信からの移行ギャップの規則を考慮する。さらに本発明は、特定の期間に、送信または受信を行うために移動局が必要とされるかどうかについて優先順位を確立するために、ＭＡＰメッセージなどのリソース割当てメッセージを受信した上で執行されるリソース割当てルールを利用する。
【００１８】
基地局は、限定されないが２．５ミリ秒、５ミリ秒および１０ミリ秒フレームを含めて、関係のある異なるフレーム期間（ＦＤ）をサポートすることができる。より長いフレーム期間は、減らされたオーバヘッドおよび改善されたリンク・バジェットに関して、いくつかの利点を有するが、より短いフレームは、改善された待ち時間の可能性を与える。Ｈ−ＦＤＤ加入者局のアップリンク送信は、特定のダウンリンク・フレームで制御領域を受信し、同じフレームでダウンリンク・データを受信して、その後拘束する移行ギャップにしたがって、アップリンクで送信を行うことができるようにスケジュールされることが可能である。しかしながら、加入者局がアップリンクでの送信の際に、プリアンブルおよび／またはリソース割当てメッセージ（ＷｉＭＡＸの場合におけるＭＡＰ）を含むダウンリンク制御領域を偶然に逃してしまった場合、そのダウンリンク・フレームの間にデータを受信することができず、また対応するＵＬフレームのための割当てを得ることもできないということに留意されたい。
【００１９】
全二重オペレーションは、この機能を有する加入者局にとって可能である。これらの加入者局は、その他のＨ−ＦＤＤ対応の加入者局と共存し、スケジューラによって判定されるように無線リソースを共有することができる。全二重の移動体は送信および受信を同時に行うことが可能なことから、移行ギャップの必要はない。
【００２０】
仮定されるフレーム期間に関わらず、ＵＬでの送信は全フレーム期間にわたることが可能なことが好ましい。このことは、リンク・バジェットの利点を提供する。というのは、より少ないサブチャネルおよびより多くのシンボル上でデータ・バーストを送信することができ、したがってＵＬ上のＳＩＮＲが改善されるためである。またこのことは、より大きなバーストが所定の数のサブチャネル上でスケジュールされることを可能にするので、ＭＡＣヘッダのフラクション、および任意の巡回冗長検査（ＣＲＣ）オーバヘッドを減少させる。半二重ＦＤＤオペレーションのためにフレームをゾーンに分割することは、セル端のユーザに対して適用範囲における損失につながる場合がある。
【００２１】
ＢＳスケジューラは、（限定されないが）ＵＬ多元接続チャネル（８０２．１６のレンジングチャネル）の知られている位置、ＤＬオペレーションのサポートの際のＣＱＩおよびＡＣＫ／ＮＡＣＫフィードバック、および名目ＤＬおよびＵＬフレームの間に、ＤＬ割当てとＵＬ割当てとの間で切り替えを行うためのＳＳＲＴＧ／ＳＳＴＴＧギャップのための適切な規則を含む複数の要素を考慮に入れることによって、同時ＤＬ−ＵＬオペレーションをサポートすることができないＨＦＤＤ  ＳＳのためのＤＬおよびＵＬフレームの両方の利用を最大化することができる。例示的な実施形態で、単一フレーム内の整数値のシンボルの送信による、連続したＤＬまたはＵＬフレームの間で生じる任意のギャップは、ＯＦＤＭＡシンボル期間に関するＯＦＤＭＡシンボル巡回プレフィックス期間の適切な選択によって最小化されてもよい。
【００２２】
半二重対応のＳＳは、ＤＬデータを受信して、ＵＬデータを制御および送信し、衝突を伴わずに制御を行うことができる。さらに、ＳＳはＤＬ上の制御メッセージを処理し、ＵＬ上での送信の準備をすることができる。ＨＦＤＤ  ＳＳは、ＤＬフレームの一部で制御およびデータを受信し、また一方で同時並行のＵＬフレームの一部でＵＬ制御およびデータを送信することができる。
【００２３】
ＷｉＭＡＸでの半二重ＦＤＤオペレーションのために、最大限の共通性が既存のＷｉＭＡＸのＴＤＤプロファイルとともに維持される。例示的な実施形態で、ＡＳＴおよびアップリンク割当ての期間は、ＵＬ−ＭＡＰの中の既存フィールドを介して知らされる。代替の例示的実施形態で、ＡＳＴおよび割当ての期間は、ＵＣＤ／ＤＣＤメッセージを介して知らされる。アップリンク／ダウンリンク・フレーム・タイミング関係の維持を伴うこれらの機能は、ＡＳＩＣ設計との互換性が維持されることを確実にし、したがってＷｉＭＡＸ  ＦＤＤ解決法のための売買時間を減少させる。
【図面の簡単な説明】
【００２４】
【図１】先行技術によるＴＤＤオペレーションを伴うＯＦＤＭＡフレームを示す図である。
【図２】本発明の例示的実施形態による基地局から見たＦＤＤフレーム構造を示す図である。
【図３】本発明の例示的実施形態による、Ｈ−ＦＤＤ加入者局のオペレーションを示すＦＤＤフレーム構造を示す図である。
【図４】本発明の例示的実施形態による、加入者毎の基準で執行される受信／送信および送信／受信ギャップを含むＨ−ＦＤＤおよび全ＦＤＤ加入者局のオペレーションを示すＦＤＤフレーム構造を示す図である。
【図５】本発明の例示的実施形態による、ダウンリンク集中アプリケーションを実行するＨ−ＦＤＤ加入者局へのリソース割当てを示すＦＤＤフレーム構造を示す図である。
【図６】本発明の例示的実施形態による、アップリンク集中アプリケーションを実行するＨ−ＦＤＤ加入者局へのリソース割当てを示すＦＤＤフレーム構造を示す図である。
【発明を実施するための形態】
【００２５】
図２から６は本発明の例示的実施形態を示し、より詳細にはＩＥＥＥ８０２．１６ｅ／ＷｉＭＡＸベースのシステムに適用可能な実施形態を示す。図２は、基地局から見たフレーム構造２００を示し、一方図３は提案されるフレーム構造３００を伴うＨ−ＦＤＤオペレーションを示し、ＤＬ／ＵＬオフセットはモジュロＦＤとして示される。
【００２６】
本発明の例示的実施形態は、ＡＳＴ（割当て開始時間）により、アップリンク・フレームの開始がダウンリンクに対してオフセットされることを可能にする。ＡＳＴは、加入者局（ＳＳ）がＤＬおよびＵＬフレームの開始および終了時を両方とも知るように、基地局（ＢＳ）によってＳＳに知らされるのが好ましい。図２および３に示されている例示的システムの実施形態中で、ＡＳＴは、ＦＤがダウンリンク（ＤＬ）またはアップリンク（ＵＬ）・フレームの期間のより大きいものを示すものであるとして、ＦＤよりも大きく２＊ＦＤよりも小さい任意の値を仮定することができる。この場合、フレームの周期的な性質のために、実際に観測されるＤＬ−ＦＬフレーム・オフセットはＡＳＴモジュロＦＤとなる。これは、（ＩＥＥＥ８０２．１６ｅ／ＷｉＭＡＸの中ではＭＡＰメッセージと呼ばれる）リソース割当て制御メッセージを介して、ダウンリンクおよびアップリンクのリソース割当ての関連性に関する限り、ＴＤＤシステムに対して同様の行為を維持する。代替の例示的実施形態で、ＡＳＴは上述の間隔に限定されなくてもよく、例えば、ＦＤよりも小さいか、または２＊ＦＤよりも大きいことが可能である。特に、時間とともに加入者局の中で処理能力が高まるにつれて、フレームよりも少ない減少された割当て開始時間が可能となり、所与の端末に対するＤＬからＵＬへのリソース割当ての待ち時間が、さらに減少されることが可能となる。
【００２７】
図３および４に示される本発明の例示的実施形態もまた、好ましくはシステム全体の基準に対して加入者局毎の基準で執行される受信／送信および送信／受信からの移行ギャップを示す。１つの加入者局に対する移行ギャップは、別の加入者局へデータを送信するため、または別の加入者局からデータを受信するために利用されてもよい。これは、送信／受信移行ギャップのためにシステムに非効率性が持ち込まれることはないということを確実にする。
【００２８】
図５は、半二重対応の加入者局に対するダウンリンク集中アプリケーションの例示的実施形態を示す。図５に示されている例示的実施形態で、加入者局は、アップリンク制御領域の間を除き、すべての時間受信モードであることが可能である。アップリンク制御領域の間、ダウンリンクのためのフィードバックは、好ましくは加入者局によって、ダウンリンク割当てとアップリンク制御領域との間の移行ギャップの間に送信される。
【００２９】
図６は、半二重対応の加入者局に対するアップリンク集中アプリケーションの例示的実施形態を示す。この例示的実施形態で、加入者局は、プリアンブルおよびＭＡＰメッセージが基地局によって送信されるダウンリンク制御領域の間を除き、すべての時間送信モードであることが可能である。
【００３０】
移行ギャップの規則に加えて、特定の期間に送信または受信を行うために移動局が必要とされるかどうかについて優先順位を確立するために、リソース割当てメッセージ（例えばＭＡＰなど）を受信した上でリソース割当てルールが執行されるのが好ましい。例えば、基地局は典型的に、セクタの中で使用されるべきサブチャネルの数などのシステム・パラメータをＤＬで周期的にブロードキャストする。これらのブロードキャスト・メッセージ（ＢＭ）はすべての加入者局に向けられるのが好ましく、ブロードキャスト・メッセージの受信とアップリンク送信の間の衝突を解決するために、特殊な優先順位ルールが半二重対応の加入者局のために定義されなければならない。例示的実施形態で、基地局はＢＭをスケジューリングする場合、いかなるＵＬ送信のスケジューリングも回避する。このことは、ＵＬ送信帯域幅の一部を浪費する間、すべての半二重ＭＳがブロードキャスト・メッセージを得ることを可能にする。
【００３１】
代替の例示的実施形態で、基地局は、通常選択されたＨ−ＦＤＤ  ＳＳに対するもののようにＵＬ送信をスケジューリングすることによって、ＵＬ帯域幅を浪費することを回避する。選択されたＳＳは、ＵＬ送信と重複するようにスケジュールされた任意のＢＭを越えて、ＵＬ許可により高い優先順位を与えるのが好ましい。ＵＬ送信との衝突によって失われたＢＭを回復する、ＳＳのための１つの可能な方法は、ＢＳのために、必要とされるＢＭコンテントをユーザトラフィックとしてＳＳへのＤＬベアラ送信の中に埋め込むことである。そうでない場合、ＳＳは次のブロードキャスト受信機会のうちの１つでＢＭを受信しなければならず、これはＢＭ更新に対する、いくらかのさらなる待ち時間につながる可能性がある。ＢＳスケジューラは、あまりにも多くのＢＭおよびＵＬ割当ての衝突が起こらないことを保証することができるが、上述の優先順位ルールは、衝突を伴ってさえオペレーションを可能にする。
【００３２】
本発明はいくつかの利点を提供し、特にはＩＥＥＥ８０２．１６ｅ／ＷｉＭＡＸに基づくＯＦＤＭＡシステム、およびＩＥＥＥ８０２．１６ｍ規格に基づくことになる次世代のＷｉＭＡＸシステムを提供する。利点の例は、既存のＴＤＤフレーム構造との互換性、全ＦＤＤへのスムーズな発展、同様のＴＤＤへのリソース割当てオーバヘッド、および（より高い機能へ転ずる）他のＦＤＤ解決法と比較して減少されたオーバヘッド、改善されたリンク・バジェット、適用範囲の改善に転ずる減らされたヘッダ／トレーラ・オーバーヘッドのフラクションを含む。
【００３３】
本発明のさらなる利点は、ＴＤＤプロファイルおよび既存のハードウェア解決法との互換性であり、したがってＦＤＤ解決法のための売買時間を大幅に減少させる。さらに、５ミリ秒のフレーム期間の仮定の下で、本発明は、提案されてきた２．５ミリ秒のＤＬ／ＵＬフレームなどの代替の解決法と比べて、ＭＡＰオーバヘッドの固定部分における２ｘの減少を提供する。フレーム期間内で同じ数のバーストをスケジューリングするという仮定の下で、ＭＡＰオーバヘッドの可変部分もまた、２の要素によって減少される。本発明はまた、ＴＤＤに比べて改善されたアップリンク・リンク・バジェットを提供する。
【００３４】
さらに、本発明の例示的実施形態は、関係のある異なるフレーム（例えば２．５ミリ秒、５ミリ秒および１０ミリ秒のフレーム）期間のサポートを提供する。図４の例示的実施形態で示されているように、半二重対応の加入者局のアップリンク送信は、特定のダウンリンク・フレームで制御領域を受信し、同じフレームでダウンリンク・データを受信し、続いてアップリンクで送信を行うことができるようにスケジュールされることが可能である。これは、図４の中で移動局１（ＭＳ１）、移動局３（ＭＳ３）および移動局４（ＭＳ４）について示されている。しかしながら、加入者局がアップリンクでの送信の際に、プリアンブルおよび／またはリソース割当てメッセージ（ＷｉＭＡＸの場合におけるＭＡＰ）を含むダウンリンク制御領域を偶然に逃してしまった場合、そのダウンリンク・フレームの間にデータを受信することできないということに留意されたい。
【００３５】
図４に示されている例示的実施形態は、フレームｋでのアップリンク送信のために、移動局１（ＭＳ１）がフレームｋ＋１のＤＬ制御領域を逃してしまい、その結果、フレームｋ＋１の間のダウンリンク・データを受信するようにスケジュールされることが不可能な場合を示す。しかしながら、全二重オペレーションは、この機能を有する加入者局にとって可能である。これらの加入者局は、その他のＨ−ＦＤＤ対応の加入者局と共存し、スケジューラによって判定されるように無線リソースを共有することができる。全二重の移動体は送信および受信を同時に行うことが可能なことから、移行ギャップの必要はない。また、これらの時間の間、ＵＬ送信がスケジュールされていない他の加入者局はＤＬ制御メッセージを聞いて、続いてＤＬデータ送信を受信することができる。
【００３６】
フレーム期間に関わらず、ＵＬでの送信は全フレーム期間にわたることが好ましい。このことは、リンク・バジェットの利点を提供する。というのは、より少ないサブチャネルおよびより多くのシンボル上でデータ・バーストを送信することができ、したがってＵＬ上のＳＩＮＲが改善されるためである。例えば、アップリンク・フレームの中で、すべての利用可能なシンボル（ＳＦＤＤ）を必要とする単一のサブチャネル上でバーストがスケジュールされている場合を考える。この場合は、同じ送信が、ＳＦＤＤ＞ＳＴＤＤであるとしてＳＴＤＤシンボルにわたりスケジュールされなければならないＴＤＤの場合と比較されてもよい。この場合、ＴＤＤの中で送信をスケジュールするために、２つ以上のサブチャネルが使用されなければならない。（ＳＦＤＤ／ＳＴＤＤ）＝２の特殊な場合、信号対干渉雑音比は（干渉が２つの場合において同様であると仮定して）ＴＤＤに比べてＦＤＤの場合３ｄＢ位改善する。（いくつかの代替の提案で提起されているように）ＦＤＤオペレーションのためにフレームをゾーンに分割することは、セル端のユーザに対して適用範囲における損失につながる場合がある。
【００３７】
本発明の例示的実施形態はまた、より大きなバーストが所定の数のサブチャネル上でスケジュールされることを可能にするので、ＭＡＣヘッダのフラクション、および任意の巡回冗長検査（ＣＲＣ）オーバヘッドを減少させる。アップリンク・データのための１５の利用可能なシンボル、およびＰＵＳＣを使用するハイブリッド自動再送要求を伴う速度１／２のＱＰＳＫ（四位相偏移変調）での送信を用いる例示的なＴＤＤシステムの実施形態では、単一のサブチャネルにまたがるバーストのためのオーバヘッド・フラクションは６４／２４０〜２７％である。一方で４８の利用可能シンボルを用いるＦＤＤ（またはＨ−ＦＤＤ）オペレーションについては、オーバヘッド・フラクションは６４／（１６＊４８）〜８．３％のオーバーヘッドに減少する。
【００３８】
ＷｉＭＡＸのＦＤＤオペレーションのために、最大限の共通性が既存のＷｉＭＡＸのＴＤＤプロファイルとともに維持される。割当て開始時間および割当ての期間は、ＵＬ−ＭＡＰメッセージの中の既存フィールドを介して知らせることができる。アップリンク／ダウンリンク・フレーム・タイミング関係の維持を伴うこれらの機能は、ＡＳＩＣ設計との互換性が維持されることを確実にし、したがってＷｉＭＡＸ  ＦＤＤ解決法のための売買時間を減少させる。
【００３９】
本発明は、その特定の実施例に関して述べられてきたが、上述の説明に限定されることが意図されている訳ではなく、むしろ以下の特許請求の範囲で言及される範囲にのみ限定される。
【図１】
2010541381.tif 000003
【図２】
2010541381.tif 000004
【図３】
2010541381.tif 000005
【図４】
2010541381.tif 000006
【図５】
2010541381.tif 000007
【図６】
2010541381.tif 000008
【国際調査報告】
2010541381.tif 000009
2010541381.tif 000010
2010541381.tif 000011